(57)【要約】【課題】電磁引外し装置のアーマチュアとラッチ爪との間に張架した復帰ばねが本体の落下衝撃などで外れるのを防止して耐衝撃性の改善を図る。【解決手段】過電流を検出して主回路接点をトリップ動作させる回路遮断器の電磁引外し装置で、アーマチュア７とラッチ爪８との間に復帰ばね１０として張架した引っ張りコイルのＵフック１０ｂをラッチ爪のばね掛けアーム１１に掛合させたものにおいて、前記ばね掛けアームの軸部１１ａ先端に、その軸径よりも径大でコイルばねの伸長方向と直角方向に縦長な半月状の押え頭部１１ｃを形成するとともに、該押え頭部の長径をＸ，ばね掛けアームの軸部直径をＹ、Ｕフックの内側寸法をＺとして、各寸法をＹ＜Ｚ＜（Ｘ＋Ｙ）／２となるように規定し、さらにＵフックの先端部１０ｂ−１を内側に湾曲させ、落下衝撃などで復帰ばねのＵフックがラッチ爪から不測に外れるのを防止する。【選択図】      図１
2005032544.tif 000002
【特許請求の範囲】
【請求項１】
過電流を検出して主回路接点をトリップ動作させる回路遮断器の電磁引外し装置であり、該装置のアーマチュアとラッチ爪との間に復帰ばねとして張架した引っ張りコイルのＵフックを前記ラッチ爪のばね掛けアームに掛合させたものにおいて、
前記ラッチ爪のばね掛けアームの軸部先端に、その軸径よりも径大でコイルばねの伸長方向と直角方向に縦長な半月状の押え頭部を形成するとともに、該押え頭部の長径をＸ，ばね掛けアームの軸部直径をＹ、Ｕフックの内側寸法をＺとして、各寸法をＹ＜Ｚ＜（Ｘ＋Ｙ）／２となるように規定した上で、Ｕフックの先端を内側に湾曲させことを特徴とする回路遮断器の電磁引外し装置。
【請求項２】
請求項１に記載の電磁引外し装置において、復帰ばねのＵフックの先端部分を内側に湾曲してその先端をフック根元部の外側に重ね、かつその重なり隙間をコイルばねの線径以下にしたことを特徴とする回路遮断器の電磁引外し装置。
【発明の詳細な説明】
【０００１】
【発明の属する技術分野】
本発明は、サーキットプロテクタなどを対象とする回路遮断器の電磁引外し装置に関し、詳しくはその復帰ばねの掛け止め構造に係わる。
【０００２】
【従来の技術】
頭記のサーキットプロテクタに、過電流引外し手段として電磁引外し装置を装備した回路遮断器が公知である（例えば、特許文献１参照。）。
【０００３】
図５は前記特許文献１に開示されている回路遮断器の構成図であり、図において、１は本体ケース、２は固定接触子、３は可動接触子、４は開閉機構、５は操作ハンドル、６は電磁引外し装置、７は電磁引外し装置６のアーマチュア、８はアーマチュア７の吸引動作に連動するラッチ爪、９は開閉機構４とラッチ爪８とを連繋する係止レバー、１０はアーマチュア７とラッチ爪との間に張架してラッチ爪７を鎖錠位置に付勢する復帰ばね（引っ張りコイルばね）である。
【０００４】
上記回路遮断器の詳細構造，および動作は特許文献１に詳しく述べられており、主回路に流れる過電流を検出して電磁引外し装置６が作動すると、アーマチュア７の吸引動作により、図６に示したアーマチュア７のレバー７ａがラッチ爪８の突出しアーム８ａを叩き、係止レバー９との係合を釈放して開閉機構４をトリップ動作させて主回路接点を開極して電流を遮断する。
【０００５】
ここで、前記の復帰ばね１０は、図６，図７で示すように引っ張りコイルばねの両端に丸フック１０ａおよびＵフック１０ｂを形成しておき、一方端の丸フック１０ａはアーマチュア７に穿孔したばね掛合穴７ｂに引っ掛け、他方のＵフック１０ｂをラッチ爪８から側方に突き出したクランク形のばね掛けアーム１１の軸部１１ａに引っ掛けるようにしており、この軸部１１ａの先端には耳形のばね押え部１１ｂを形成して復帰ばね１０との掛合いが外れないようにしている。
【０００６】
なお、従来の構造では前記押え部１１ｂが、Ｕフック１０ｂを引っ掛ける作業性を考慮して、軸部１１ａの軸径と同幅でその先端から復帰ばね１０の伸長方向に膨出した形状としている。
【０００７】
そして、製品の組立工程で復帰ばね１０のＵフック１０ｂをラッチ爪１１に引っ掛ける際には、図７（ａ），（ｂ）  で示すように、他端側の丸フック１０ａをアーマチュア７に引っ掛けた後、Ｕフック１０ｂをピンセット１２で摘まみ、コイルばねを十分に引き伸ばしながらＵフック１０ｂが前記押え部１１ｂの後縁を乗り越えたところでピンセット１２を放し、Ｕフック１０ｂをばね掛けアーム１１の軸部１１ａに掛合させるようにしている（非特許文献１参照。）。
【０００８】
【特許文献１】
特開平９−１６１６４５号公報
【非特許文献１】
発明協会公開技報公技番号２００２−２８６６号
【０００９】
【発明が解決しようとする課題】
ところで、前記の電磁引外し装置に採用している従来の復帰ばね掛け止め構造（図６参照）では、回路遮断器の製品を誤って床に落として本体に衝撃を与えると、復帰ばね１０がラッチ爪８から外れてしまう不具合の生じる問題がある。
【００１０】
そこで、発明者等は復帰ばねがラッチ爪から外れる原因について検証したところ、遮断器本体が衝撃を受けると、その反動で復帰ばね１０が過渡的に激しく揺れ動き、その動きに伴い復帰ばね１０のＵフック１０ｂとラッチ爪８のばね掛けアーム１１との掛合いがフリーとなり、Ｕフック１０ｂが押え部１１ｂを乗り越えてばね掛けアームの軸部１１ａから外れることが判った。
【００１１】
本発明は上記の点に鑑みなされたものであり、その目的はアーマチュアとラッチ爪との間に張架した復帰ばねが本体の落下衝撃などで外れるのを防止し、併せて復帰ばねをラッチ爪に組付ける作業性の改善が図れるように掛け止め構造を改良した回路遮断器の電磁引外し装置を提供することにある。
【００１２】
【課題を解決するための手段】
上記目的を達成するために、本発明によれば、過電流を検出して主回路接点をトリップ動作させる回路遮断器の電磁引外し装置で、該装置のアーマチュアとラッチ爪との間に復帰ばねとして張架した引っ張りコイルのＵフックを前記ラッチ爪のばね掛けアームに掛合させたものにおいて、
前記ラッチ爪のばね掛けアームの軸部先端に、その軸径よりも径大でコイルばねの伸長方向と直角方向に縦長な半月状の押え頭部を形成するとともに、該押え頭部の長径をＸ，ばね掛けアームの軸部直径をＹ、Ｕフックの内側寸法をＺとして、各寸法をＹ＜Ｚ＜（Ｘ＋Ｙ）／２となるように規定した上で、Ｕフックの先端を内側に湾曲させるものとする（請求項１）。
【００１３】
上記の構成によれば、本体に加わる落下衝撃などで復帰ばねが揺れ動き、Ｕフックとラッチ爪に設けたばね掛けアームの軸部との掛合いが一時的にフリーとなっても、その軸部先端から外周に張出す押え頭部の長径がＵフックの内法幅よりも大きく、かつＵフックの可動範囲も前記式で規制されるため、Ｕフックが押え頭部を乗り越えて復帰ばねがラッチ爪の掛けアームから外れるのを阻止できる。
【００１４】
しかも、組立工程で復帰ばねのＵフックをラッチ爪のばね掛けアームの軸部に引っ掛ける際には、Ｕフックの根元側を押え頭部の裏側に挿入し、先端側を押え頭部の外周縁に沿って押し広げるように撓ませることで簡単に押え頭部を乗り越えて適正に組付けることができる。
【００１５】
また、前記構成において、復帰ばねのＵフックの先端部分は、内側に曲げた上でその先端をフック根元部の外側に重ね、かつその重なり隙間はコイルばねの線径以下にする（請求項２）ことで、多数個の復帰ばねをバラ積みして保管しておく場合でもＵフック同士が互いに絡み合うことがなく、これによりばね部品の取扱いが楽に行える。
【００１６】
【発明の実施の形態】
以下、本発明の実施の形態を図１〜図４に示す実施例に基づいて説明する。なお、実施例の図中で図６に対応する部材には同じ符号を付している。
【００１７】
まず、図１（ａ），（ｂ）  および図２において、復帰ばね１０のＵフック１０ｂを引っ掛けるラッチ爪８のばね掛けアーム１１には、従来の耳形押え部１１ｂ（図６参照）に代えて、軸部１１ａの先端から上下外周に突き出した半月状の押え頭部１１ｃが形成されている。この押え頭部１１ｃは復帰ばね１０の伸長方向と直角方向に縦長な形状でその周縁がＲ面に面取りされている。なお、図２で８ｂはラッチ爪８の支軸である。
【００１８】
一方、復帰ばね１０のＵフック１０ｂは、図１（ｂ）  で表すようにフックの先端部１０ｂ−１をフックの内側に湾曲させた形状とし、さらにその位置側寸法（フックの内周差し渡し寸法）をＺ，前記したばね掛けアーム１１の押え頭部１１ｃの長径をＸ，軸部１１ａの軸径をＹとして、各寸法の間で次式（１）  の条件を満足するように規定している。
【００１９】
Ｙ＜Ｚ＜（Ｘ＋Ｙ）／２  …………（１）
なお、前記寸法Ｘ，Ｙ，Ｚについて、実際の製品では押え頭部１１ｃの長径Ｘを復帰ばね１０のコイル直径よりも若干大きめとし、Ｕフック１０ｂを引っ掛ける際にフックを押し広げる撓み量が過大となるのを抑えるようにする。また、Ｕフック１０ｂの内側寸法Ｚと軸部１１ａの直径Ｙとの間の寸法差は、通常の動作では軸部とＵフックとの相対的な動きを阻害せず、本体に落下衝撃などが加わった際にはＵフック１０ｂが軸部１１ａから大きく躍るのを防ぐために、最低０．１ｍｍ以上の狭い隙間を確保するようにするのがよい。
【００２０】
次に、復帰ばね１０のＵフック１０ｂをラッチ爪８のばね掛けアーム１１に引っ掛ける組立手順を図３（ａ），（ｂ）  で説明する。すなわち、復帰ばね１０の他端側の丸フック１０ａを図１のアーマチュア７の掛合穴７ｂに引っ掛けた状態で、図３（ａ）  で示すようにＵフック１０ｂをピンセット１２で摘まみ、コイルばねを伸長させながらＵフック１０ｂの根元側を下方から押え頭部１１ｃの裏側に差し入れて軸部１１ａの周面に寄せる。この状態ではＵフックの先端側は押え頭部１１ｃを乗り越えずにその外面上に位置している。次に、ピンセット１２にひねりを加え、図３（ｂ）  のようにＵフックの先端側を押え頭部１１ｃの外周縁に沿わせて押し広げるように撓ませると、この先端部分が押え頭部１１ｃの周縁を乗り越えて軸部１１ａと簡単に掛合する。
【００２１】
上記のように、ラッチ爪８のばね掛けアーム１１の軸部先端に縦長な半月状の押え頭部１１ｃを形成した上で、復帰ばね１０のＵフック１０ｂとラッチ爪８のばね掛けアーム１１との掛合い寸法を式（１）  のように規定することで、回路遮断器の取扱い時に本体を誤って床に落とした場合の衝撃などで、復帰ばね１０がラッチ爪８から外れるといった従来構造で問題となっていた不具合を解消できる。しかも、製品の組立工程で復帰ばね１０のＵフック１０ｂをラッチ爪８のばね掛けアーム１１に引っ掛ける際の作業が簡単に行える。
【００２２】
次に、本発明の請求項２に対応する応用実施例を図４（ａ），（ｂ）  に示す。この実施例では、復帰ばね１０のＵフック１０ｂについて、その先端部分１０ｂ−１を内側に湾曲させた上で、その先端をコイル部分から立ち上がるフック根元側の外側に重ねるようにし、かつその重なり部分の隙間ｇ１，ｇ２  をコイルばねの線径以下となるようにしている。
【００２３】
この構造を採用することにより、多数個の復帰ばね１０をバラ積み状態に保管しても、復帰ばね１０のＵフック１０ｂ同士が絡み合うことがなく、その後のばね部品の取扱いが楽になる。かかる点、図７に示した従来のＵフック形状では、バラ積みした保管状態でＵフック同士が絡み合ってしまい、ばね部品を組立工程に供給する場合にＵフックの絡み合いをほぐす必要があって手間がかかる。
【００２４】
【発明の効果】
以上述べたように本発明によれば、回路遮断器の電磁引外し装置として、外部からの衝撃によって復帰ばねのＵフックとラッチ爪とばね掛けアームとの間の掛合いが外れるといった不具合を防止して耐衝撃性の高い製品を提供できる。
【００２５】
また、復帰ばねをラッチ爪に掛合する組立作業も簡単に行え、かつ請求項２の構造を採用することで、復帰ばねの部品管理，取扱いにも効果を発揮できる。
【図面の簡単な説明】
【図１】本発明の実施例の構成図で、（ａ）  は電磁引外し装置の組立構造図、（ｂ）  は（ａ）  における復帰ばねのＵフックとラッチ爪との係合部分の拡大図
【図２】図１におけるラッチ爪の構成図で、（ａ），（ｂ）  はそれぞれ正面図および側面図
【図３】復帰ばねのＵフックをラッチ爪のばね掛けアームに掛け止めする作業手順の説明図で、（ａ），（ｂ）  は掛け止め作業の様子を正面および側面から見た図
【図４】本発明の別な実施例による復帰ばねのＵフック形状を表す図で、（ａ），（ｂ）  はそれぞれ側面および端面図
【図５】本発明の実施対象となる回路遮断器の全体構成図
【図６】従来の電磁引外し装置の構造図で、（ａ）は側面図、（ｂ）  はラッチ爪の正面図
【図７】図６で復帰ばねのＵフックをラッチ爪のばね掛けアームに掛け止めするる作業手順の説明図で、（ａ），（ｂ）  は掛け止め作業の様子を正面および側面から見た図
【符号の説明】
６    電磁引外し装置
７    アーマチュア
８    ラッチ爪
１０    復帰ばね
１０ｂ  Ｕフック
１０ｂ−１  先端部
１１    ばね掛けアーム
１１ａ  軸部
１１ｃ  押え頭部
【図１】
2005032544.tif 000003
【図２】
2005032544.tif 000004
【図３】
2005032544.tif 000005
【図４】
2005032544.tif 000006
【図５】
2005032544.tif 000007
【図６】
2005032544.tif 000008
【図７】
2005032544.tif 000009